(57)【要約】      （修正有）【課題】１種類のプーリ及び歯車ユニットを用意するだけで済み、部品点数を低減する。【解決手段】壁１５にブラケット１３を介して取付けられた支持バー１４の両端に支持部材１６が取付けられ、支持部材に上下に間隔をあけて第１及び第２巻取パイプが取付けられる。第１巻取パイプが第２巻取パイプに対して室内側又は窓側にオフセットして設けられ、操作チェーン１８が巻き掛けられる単一のプーリ１９が第１及び第２巻取パイプ間に位置する。操作チェーンの操作力をプーリから第１及び第２回転伝達切換装置に伝達する歯車列２３が収容された歯車ケース２４と、歯車ケースに取付けられ操作チェーンの上部及びプーリを収容するプーリカバーとにより、プーリ及び歯車ユニットが構成される。このプーリ及び歯車ユニットが第１及び第２巻取パイプの右側又は左側のいずれか一方に位置した状態で支持バーがブラケットに取付け可能に構成される。【選択図】図１
2018066234.tif 000002
【特許請求の範囲】
【請求項１】
壁、窓枠又は天井に複数のブラケットを介して取付けられかつ両端に一対の支持部材が取付けられた単一の支持バーと、前記一対の支持部材に上下に間隔をあけて回転可能に取付けられた第１及び第２巻取パイプと、前記第１及び第２巻取パイプに上縁がそれぞれ固定され前記第１及び第２巻取パイプに繰出し可能に巻取られる第１及び第２遮蔽体と、前記第１及び第２巻取パイプにそれぞれ内蔵され前記第１及び第２遮蔽体を前記第１及び第２巻取パイプに巻取る方向に前記第１及び第２巻取パイプを回転させるための付勢力が蓄えられた第１及び第２巻取ばねと、前記第１及び第２巻取パイプをそれぞれ正転又は逆転させて前記第１及び第２遮蔽体を繰出し又は巻取るために操作される単一の操作チェーンと、前記操作チェーンと前記第１及び第２巻取パイプとの間にそれぞれ設けられ前記操作チェーンの一方又は他方への引下げ操作時にこの操作力を前記第１又は第２巻取パイプに伝達しかつ前記操作チェーンの他方又は一方への引下げ操作時にこの操作力を前記第２又は第１巻取パイプに伝達しないクラッチ機能を有する第１及び第２回転伝達切換装置と、前記操作チェーンが巻き掛けられる単一のプーリと、前記プーリと前記第１及び第２回転伝達切換装置との間に設けられ前記操作チェーンの操作力を前記プーリから前記第１及び第２回転伝達切換装置に伝達する歯車列とを備えたロールスクリーンにおいて、
前記第１巻取パイプが前記第２巻取パイプに対して室内側又は窓側にオフセットして設けられ、
前記プーリが前記第１巻取パイプと前記第２巻取パイプの間に位置するように構成され、
前記歯車列が収容された歯車ケースとこの歯車ケースに取付けられ前記操作チェーンの上部及び前記プーリを収容しかつ下面及び下部側面が開口したプーリカバーとによりプーリ及び歯車ユニットが構成され、
前記プーリ及び歯車ユニットが前記第１及び第２巻取パイプの右側又は左側のいずれかに一方に位置した状態で前記支持バーが前記複数のブラケットに取付け可能に構成された
ことを特徴とするロールスクリーン。
【請求項２】
前記歯車ケースの下端外面から前記プーリカバーの下端内面に向って補強用ボスが突設され、前記プーリカバーに通孔が前記補強用ボスに対向して形成され、前記通孔にビスを挿通して前記補強用ボスに螺合することにより前記プーリカバーの下端が前記歯車ケースに固定された請求項１記載のロールスクリーン。
【請求項３】
前記補強用ボスに軟質樹脂又は軟質ゴムにより形成された軟質筒状体が嵌入された請求項２記載のロールスクリーン。
【請求項４】
前記プーリに巻き掛けられて前記プーリから垂下された前記操作チェーンの室内側の操作部及び窓側の操作部が前記補強用ボスより窓側に位置するとき、前記操作チェーンの室内側の操作部が前記補強用ボスより室内側に位置するように配索された請求項２又は３記載のロールスクリーン。
【発明の詳細な説明】
【技術分野】
【０００１】
本発明は、第１及び第２巻取パイプに内蔵された第１及び第２巻取ばねに蓄えられた付勢力によって第１及び第２遮蔽体を巻取り可能であって、第１及び第２遮蔽体を単一の操作チェーンにより昇降させるロールスクリーンに関するものである。
【背景技術】
【０００２】
従来、スクリーンを吊下支持する第１及び第２巻取パイプを支持ブラケットと操作装置で並列にかつ回転可能に支持し、操作装置から垂下される１本の無端状の操作チェーンを操作することにより、第１及び第２巻取パイプから吊下支持される第１及び第２スクリーンを昇降する連装型ロールブラインドのスクリーン昇降装置が開示されている（例えば、特許文献１参照。）。この連装型ロールブラインドのスクリーン昇降装置では、操作装置に、操作チェーンの一方への操作により第１巻取パイプを第１スクリーンの繰出し方向へ回転させる回転力と、操作チェーンの他方への操作により第２巻取パイプを第２スクリーンの繰出し方向へ回転させる回転力とを生成する制御装置が設けられる。また、第１及び第２巻取パイプ内に、巻取パイプにスクリーンの巻取り方向の回転力を付与する付勢手段と、巻取パイプの回転の許容及び阻止等を切換える第１及び第２クラッチ装置とが設けられる。第１クラッチ装置は、巻取パイプをスクリーンの繰出し方向に回転させた後は、付勢手段によるスクリーンの巻取りを阻止し、スクリーンの巻取りを阻止している状態から、巻取パイプをスクリーンの繰出し方向に所定角度の範囲で回転させた後は、巻取パイプがスクリーンの巻取り方向に回転するのを許容するように構成される。また、第２クラッチ装置は、制御装置で生成された回転力を巻取パイプに伝達し、付勢手段による巻取パイプの回転を制御装置に伝達しないように構成される。
【０００３】
また、操作チェーンが巻き掛けられるプーリを操作装置のケース下部に第２巻取パイプと同軸上に配置してそのプーリの回転に基づいて第２巻取パイプを回転駆動し、そのプーリの回転を歯車及び第１伝達歯車を介して第２伝達歯車に伝達し、その第２伝達歯車の回転に基づいて第１巻取パイプを回転駆動するように構成される。更に、窓の上方壁面等の取付面に複数の取付ブラケットを介して支持枠が固定され、この支持枠の一端に支持ブラケットが取付けられ、支持枠の他端に支持ブラケットを兼ねる操作装置が取付けられる。そして、支持ブラケットと操作装置との間に２本の第１及び第２巻取パイプが回転可能に支持され、第１及び第２巻取パイプからそれぞれスクリーンが吊下支持される。
【０００４】
このように構成された連装型ロールブラインドのスクリーン昇降装置では、１本の操作チェーンにより２本の巻取パイプでそれぞれスクリーンの繰出し操作及び巻取り操作を可能としながら、スクリーンの巻取り操作を容易に行うことができる。また、プーリと一体的に設けられた歯車（プーリの歯車）と比べてプーリを小型化することなく、第１及び第２伝達歯車の径を縮小して、第１及び第２巻取パイプの間隔を縮小できるので、プーリを回転駆動するための操作力を増大させることなく、操作装置のケースを小型化できる。
【先行技術文献】
【特許文献】
【０００５】
【特許文献１】特許第３２８２９８１号公報（請求項１、段落［００６６］、［００６７］、図１〜図４）
【発明の概要】
【発明が解決しようとする課題】
【０００６】
しかし、上記従来の特許文献１に示された連装型ロールブラインドのスクリーン昇降装置では、支持ブラケットと操作装置との間に２本の第１及び第２巻取パイプが回転可能に支持された状態で、操作装置を右側から左側に反転させて取付けようとすると、巻取パイプが取付ブラケットに干渉してしまうため、上記状態で支持枠を取付ブラケットに取付けることができず、左右対称なケース等を２種類用意しなければならない不具合があった。また、上記従来の特許文献１に示された連装型ロールブラインドのスクリーン昇降装置では、操作チェーンが巻き掛けられるプーリが操作装置のケース下部に第２巻取パイプと同軸上に配置されているため、操作チェーンの一方を引下げると、この操作力が第１巻取パイプに直接伝達されるのに対し、操作チェーンの他方を引下げると、この操作力がプーリの歯車、第１伝達歯車及び第２伝達歯車を介して第２巻取パイプに伝達されるため、第１巻取パイプを回転させるための操作力と、第２巻取パイプを回転させるための操作力とが微妙に異なり、操作チェーンの操作性に違和感が生じる問題点もあった。
【０００７】
本発明の第１の目的は、ロールスクリーンの設置場所における操作性により、プーリ及び歯車ユニットを第１及び第２巻取パイプの右側に位置させても或いは左側に位置させても、１種類のプーリ及び歯車ユニットを用意するだけで済み、部品点数を低減できる、ロールスクリーンを提供することにある。本発明の第２の目的は、第１巻取パイプを回転させるための操作力と、第２巻取パイプを回転させるための操作力とが同一になり、操作チェーンの操作性に違和感が生じない、ロールスクリーンを提供することにある。本発明の第３の目的は、操作チェーンの操作性に僅かな影響を与えるだけで、プーリカバーの強度を確保できる、ロールスクリーンを提供することにある。本発明の第４の目的は、操作チェーンが軟質筒状体に当接することにより、異音の発生を防止できる、ロールスクリーンを提供することにある。本発明の第５の目的は、操作チェーンの操作性に殆ど影響を与えることなく、プーリカバーの強度を確保できる、ロールスクリーンを提供することにある。
【課題を解決するための手段】
【０００８】
本発明の第１の観点は、図１〜図３及び図５に示すように、壁１５、窓枠又は天井に複数のブラケット１３を介して取付けられかつ両端に一対の支持部材１６，１７が取付けられた単一の支持バー１４と、一対の支持部材１６，１７に上下に間隔をあけて回転可能に取付けられた第１及び第２巻取パイプ１１，１２と、第１及び第２巻取パイプ１１，１２に上縁がそれぞれ固定され第１及び第２巻取パイプ１１，１２に繰出し可能に巻取られる第１及び第２遮蔽体２１，２２と、第１及び第２巻取パイプ１１，１２にそれぞれ内蔵され第１及び第２遮蔽体２１，２２を第１及び第２巻取パイプ１１，１２に巻取る方向に第１及び第２巻取パイプ１１，１２を回転させるための付勢力が蓄えられた第１及び第２巻取ばね３１，３２と、第１及び第２巻取パイプ１１，１２をそれぞれ正転又は逆転させて第１及び第２遮蔽体２１，２２を繰出し又は巻取るために操作される単一の操作チェーン１８と、操作チェーン１８と第１及び第２巻取パイプ１１，１２との間にそれぞれ設けられ操作チェーン１８の一方又は他方への引下げ操作時にこの操作力を第１又は第２巻取パイプ１１，１２に伝達しかつ操作チェーン１８の他方又は一方への引下げ操作時にこの操作力を第２又は第１巻取パイプ１２，１１に伝達しないクラッチ機能を有する第１及び第２回転伝達切換装置４１，４２と、操作チェーン１８が巻き掛けられる単一のプーリ１９と、プーリ１９と第１及び第２回転伝達切換装置４１，４２との間に設けられ操作チェーン１８の操作力をプーリ１９から第１及び第２回転伝達切換装置４１，４２に伝達する歯車列２３とを備えたロールスクリーン１０において、第１巻取パイプ１１が第２巻取パイプ１２に対して室内側又は窓側にオフセットして設けられ、プーリ１９が第１巻取パイプ１１と第２巻取パイプ１２の間に位置するように構成され、歯車列２３が収容された歯車ケース２４とこの歯車ケース２４に取付けられ操作チェーン１８の上部及びプーリ１９を収容しかつ下面及び下部側面が開口したプーリカバー２６とによりプーリ及び歯車ユニット２７が構成され、プーリ及び歯車ユニット２７が第１及び第２巻取パイプ１１，１２の右側又は左側のいずれかに一方に位置した状態で支持バー１４が複数のブラケット１３に取付け可能に構成されたことを特徴とする。
【０００９】
本発明の第２の観点は、第１の観点に基づく発明であって、更に図１、図２及び図５に示すように、歯車ケース２４の下端外面からプーリカバー２６の下端内面に向って補強用ボス２４ａが突設され、プーリカバー２６に通孔２６ａが補強用ボス２４ａに対向して形成され、通孔２６ａにビス２８を挿通して補強用ボス２４ａに螺合することによりプーリカバー２６の下端が歯車ケース２４に固定されたことを特徴とする。
【００１０】
本発明の第３の観点は、第２の観点に基づく発明であって、更に図１、図２及び図５に示すように、補強用ボス２４ａに軟質樹脂又は軟質ゴムにより形成された軟質筒状体２９が嵌入されたことを特徴とする。
【００１１】
本発明の第４の観点は、第２又は第３の観点に基づく発明であって、更に図２に示すように、プーリ１９に巻き掛けられてプーリ１９から垂下された操作チェーン１８の室内側の操作部及び窓側の操作部が補強用ボス２４ａより窓側に位置するとき、操作チェーン１８の室内側の操作部が補強用ボス２４ａより室内側に位置するように配索されたことを特徴とする。
【発明の効果】
【００１２】
本発明の第１の観点のロールスクリーンでは、第１巻取パイプを第２巻取パイプに対して室内側又は窓側にオフセットして設け、プーリを第１巻取パイプと第２巻取パイプの間に位置させ、歯車列が収容された歯車ケースと操作チェーンの上部及びプーリを収容しかつ下面及び下部側面が開口したプーリカバーとによりプーリ及び歯車ユニットを構成し、更にプーリ及び歯車ユニットを第１及び第２巻取パイプの右側又は左側のいずれかに一方に位置した状態で支持バーを複数のブラケットに取付け可能に構成したので、プーリ及び歯車ユニットが第１及び第２巻取パイプの右側に位置した状態で、支持バーを複数のブラケットに取付けることができるとともに、支持バーを左右反転させてプーリ及び歯車ユニットが第１及び第２巻取パイプの左側に位置した状態で、支持バーを複数のブラケットに取付けることができる。この結果、ロールスクリーンの設置場所における操作性により、プーリ及び歯車ユニットが第１及び第２巻取パイプの右側に位置した状態であっても、或いはプーリ及び歯車ユニットが第１及び第２巻取パイプの左側に位置した状態であっても、同一のプーリ及び歯車ユニットを用いることができる。従って、１種類のプーリ及び歯車ユニットを用意するだけで済むので、部品点数を低減できる。また、操作チェーンの一方を引下げると、この操作力がプーリ及び歯車ユニットを介して第１巻取パイプに伝達され、操作チェーンの他方を引下げると、この操作力がプーリ及び歯車ユニットを介して第２巻取パイプに伝達されるので、第１巻取パイプを回転させるための操作力と、第２巻取パイプを回転させるための操作力とが同一になり、操作チェーンの操作性に違和感が生じることはない。
【００１３】
本発明の第２の観点のロールスクリーンでは、ビスを通孔に挿通して補強用ボスに螺合することによりプーリカバーの下端を歯車ケースに固定したので、補強用ボスに操作チェーンが接触する場合があるけれども、このとき操作チェーンを補強用ボスに遊嵌するように配索することにより、操作チェーンの操作性を改善できる。この結果、操作チェーンの操作性に僅かな影響を与えるだけで、プーリカバーの強度を確保できる。
【００１４】
本発明の第３の観点のロールスクリーンでは、補強用ボスに軟質樹脂又は軟質ゴムにより形成された軟質筒状体を嵌入したので、軟質筒状体に操作チェーンが接触したときに発生する異音が軟質筒状体により吸収される。この結果、上記異音の発生を防止できる。
【００１５】
本発明の第４の観点のロールスクリーンでは、プーリから垂下された操作チェーンの室内側の操作部及び窓側の操作部が補強用ボスより窓側に位置するとき、操作チェーンの室内側の操作部を補強用ボスより室内側に位置するように配索したので、操作チェーンを室内側に斜め下方に引下げることにより、操作チェーンが補強用ボス又は軟質筒状体に接触するのを抑制できる。この結果、操作チェーンの操作性に殆ど影響を与えることなく、プーリカバーの強度を確保できる。
【図面の簡単な説明】
【００１６】
【図１】本発明第１実施形態のプーリ及び歯車ユニットを第１及び第２巻取パイプの右側に取付けた状態であって歯車ケースからプーリカバーを取外した状態を示すロールスクリーンの右側面図である。
【図２】そのプーリ及び歯車ユニットを第１及び第２巻取パイプの左側に取付けた状態であって歯車ケースからプーリカバーを取外した状態を示すロールスクリーンの左側面図である。
【図３】図４のＡ−Ａ線断面図である。
【図４】図３のＢ−Ｂ線断面図である。
【図５】図１のＣ−Ｃ線断面図である。
【図６】本発明第２実施形態のプーリ及び歯車ユニットを第１及び第２巻取パイプの右側に取付けた状態であって歯車ケースからプーリカバーを取外した状態を示すロールスクリーンの右側面図である。
【図７】そのプーリ及び歯車ユニットを第１及び第２巻取パイプの左側に取付けた状態であって歯車ケースからプーリカバーを取外した状態を示すロールスクリーンの左側面図である。
【発明を実施するための形態】
【００１７】
次に本発明を実施するための形態を図面に基づいて説明する。
【００１８】
＜第１の実施の形態＞
図１、図３及び図５に示すように、ロールスクリーン１０は、壁１５に２つのブラケット１３を介して取付けられかつ両端に一対の支持部材１６，１７が取付けられた単一の支持バー１４と、一対の支持部材１６，１７に上下に間隔をあけて回転可能に取付けられた第１及び第２巻取パイプ１１，１２と、第１及び第２巻取パイプ１１，１２に上縁が固定された第１及び第２遮蔽体２１，２２と、第１及び第２巻取パイプ１１，１２にそれぞれ内蔵された第１及び第２巻取ばね３１，３２と、第１及び第２巻取パイプ１１，１２を正転又は逆転させる単一の操作チェーン１８と、操作チェーン１８と第１及び第２巻取パイプ１１，１２との間にそれぞれ設けられた第１及び第２回転伝達切換装置４１，４２と、操作チェーン１８が巻き掛けられる単一のプーリ１９と、プーリ１９と第１及び第２回転伝達切換装置４１，４２との間に設けられた歯車列２３とを備える。
【００１９】
ブラケット１３は、図４に詳しく示すように、略Ｌ字状に形成された壁取付部１３ａと、この壁取付部１３ａの突出端下面に取付けられたバー保持部１３ｂとを有する。バー保持部１３ｂには室内側から窓側の方向に所定の間隔をあけて一対の被係止部１３ｃ，１３ｄが形成される。これらの被係止部１３ｃ，１３ｄは互いに近付く方向に図示しないばねにより付勢される。上記一対の被係止部１３ｃ，１３ｄは、この実施の形態では、互いに向き合う一対の爪状に形成される。また、支持バー１４は、第１及び第２巻取パイプ１１，１２と平行に設けられ上記一対の被係止部１３ｃ，１３ｄに係止可能な一対の係止部１４ｃ，１４ｄが形成されたバー本体１４ａと、このバー本体１４ａの一側縁から垂下されたカバー部１４ｂとを有する。上記一対の係止部１４ｃ，１４ｄは室内側から窓側の方向に所定の間隔をあけて形成される。また、上記一対の係止部１４ｃ，１４ｄは、この実施の形態では、互いに反対方向を向く凹溝状に形成される。
【００２０】
一方、第１及び第２巻取パイプ１１，１２は互いに平行に配置され、第１巻取パイプ１１は第２巻取パイプ１２に対して室内側にオフセットして設けられる（図１及び図４）。具体的には、操作チェーン１８が第１及び第２巻取パイプ１１，１２の右側に位置するようにロールスクリーン１０を設置したときに（図３）、第１巻取パイプ１１は一対の支持部材１６，１７の上部であって所定の距離だけ室内側に寄った位置に取付けられ、第２巻取パイプ１２は一対の支持部材１６，１７の下部であって所定の距離だけ窓側に寄った位置に取付けられる（図１及び図４）。そして、第１遮蔽体２１は第１巻取パイプ１１の室内側の面から垂下され、第２遮蔽体２２は第２巻取パイプ１２の窓側の面から垂下される。
【００２１】
第１及び第２巻取ばね３１，３２には第１及び第２遮蔽体２１，２２を第１及び第２巻取パイプ１１，１２に巻取る方向に第１及び第２巻取パイプ１１，１２を回転させるための付勢力がそれぞれ蓄えられる（図３）。また、単一の操作チェーン１８は、第１及び第２遮蔽体２１，２２をそれぞれ繰出し又は巻取るために操作される。また、歯車列２３は、単一のプーリ１９と一体的に設けられた駆動歯車２３ａと、この駆動歯車２３ａに噛合する中間歯車２３ｂと、この中間歯車２３ｂに噛合し第１回転伝達切換装置４１に連結された第１従動歯車２３ｃと、中間歯車２３ｂに噛合し第２回転伝達切換装置４２に連結された第２従動歯車２３ｄとを有する（図２及び図５）。そして、上記歯車列２３により、操作チェーン１８の操作力がプーリ１９から第１及び第２回転伝達切換装置４１，４２に伝達されるようになっている。これらの歯車２３ａ〜２３ｄは歯車ケース２４に回転可能にそれぞれ収容され、この歯車ケース２４にビス（図示せず）により取付けられたプーリカバー２６に上記プーリ１９が収容される。そして歯車ケース２４及びプーリカバー２６により一方の支持部材１６が構成されるとともに、歯車列２３が収容された歯車ケース２４とこの歯車ケース２４に取付けられ操作チェーン１８の上部及びプーリ１９を収容しかつ下面及び下部側面が開口したプーリカバー２６とによりプーリ及び歯車ユニット２７が構成される。更に、プーリ及び歯車ユニット２７が第１及び第２巻取パイプ１１，１２の右側又は左側のいずれかに一方に位置した状態で支持バー１４が２つのブラケット１３，１３に取付け可能に構成される。具体的には、図４に詳しく示すように、支持バー１４の一対の係止部１４ｃ，１４ｄから等距離にある点（中点）を通りかつ壁１５に平行な鉛直面を面Ｘとし、第１巻取パイプ１１の軸線を含む鉛直面と第２巻取パイプ１２の軸線を含む鉛直面との間に両鉛直面から等距離に位置する鉛直面を面Ｙとするとき、面Ｘと面Ｙが一致するように構成される。
【００２２】
一方、歯車ケース２４の下端外面には、この歯車ケース２４の下端外面からからプーリカバー２６の下端内面に向って補強用ボス２４ａが突設される（図１、図２及び図５）。また、プーリカバー２６には通孔２６ａが補強用ボス２４ａに対向して形成される。この通孔２６ａにビス２８を挿通して補強用ボス２４ａに螺合することによりプーリカバー２６の下端が歯車ケース２４に固定される。これによりプーリカバー２６下部の強度を確保できる。また、補強用ボス２４ａには軟質樹脂又は軟質ゴムにより形成された軟質筒状体２９が嵌入される。更に、操作チェーン１８が第１及び第２巻取パイプ１１，１２の左側に位置するようにロールスクリーン１０を設置した場合（図２）、プーリ１９から垂下された操作チェーン１８の室内側の操作部及び窓側の操作部が補強用ボス２４ａより窓側に位置するため、操作チェーン１８の室内側の操作部が補強用ボス２４ａより室内側に位置するように配索される。即ち、操作チェーン１８が補強用ボス２４ａに遊嵌されるように構成される。
【００２３】
一方、第１回転伝達切換装置４１は操作チェーン１８と第１巻取パイプ１１との間に設けられ、第２回転伝達切換装置４２は操作チェーン１８と第２巻取パイプ１２との間に設けられる（図５）。第１回転伝達切換装置４１は、操作チェーン１８の室内側の操作部を図１の実線矢印で示す方向に引下げ操作したときにこの操作力を第１巻取パイプ１１に伝達しかつ操作チェーン１８の窓側の操作部を図１の破線矢印で示す方向に引下げ操作したときにこの操作力を第１巻取パイプ１１に伝達しないクラッチ機能と、操作チェーン１８の室内側の操作部の引下げ操作を停止することにより第１巻取パイプ１１をその位置に一時的に固定するロック機能と、操作チェーン１８の室内側の操作部を図１の実線矢印で示す方向に僅かに引下げ操作することにより上記一時的な固定を解除するロック解除機能とを有する。即ち、第１回転伝達切換装置４１は、上記クラッチ機能を発揮する第１クラッチ部５１と、上記ロック機能及びロック解除機能を発揮する第１ストッパ部６１と、第１中間軸７１及び第１ストッパ部６１間に設けられ操作チェーン１８の室内側の操作部を図１の実線矢印で示す方向に引下げ操作したときに第１中間軸７１及び第１ストッパ部６１間に比較的小さいトルクを発生させる第１トルク発生部８１とを有する。なお、上記第１中間軸７１は第１従動歯車２３ｃに第１クラッチ部５１を介して連結される。
【００２４】
第１クラッチ部５１は、図示しないが、第１従動歯車２３ｃとともに回転可能に構成され第１中間軸７１を挿通可能な第１クラッチ用外輪と、第１中間軸７１の外周面に接する円柱状の複数の第１クラッチ用ローラと、複数の第１クラッチ用ローラを第１クラッチ用外輪の中にそれぞれ収容する複数の第１ローラ収容空間と、薄い金属ばね材を一体成型することにより形状された第１クラッチ用板ばねとを有する。複数の第１クラッチ用ローラは複数の第１ローラ収容空間内を第１クラッチ用外輪の円周方向に移動することにより、第１中間軸７１の第１クラッチ用外輪に対する相対回転を不能にするか、或いは第１中間軸７１の第１クラッチ用外輪に対する相対回転を可能にして第１クラッチ部５１を空転させるように構成される。また、第１ストッパ部６１は、操作チェーン１８の室内側の操作部を図１の実線矢印で示す方向に僅かに引下げ操作することにより第１遮蔽体２１を下降状態又は停止状態に切換えるように構成される（図１及び図５）。具体的には、第１ストッパ部６１は、第１トルク発生部８１に嵌入され外周面に第１カム溝６１ｂが形成された第１円筒カム６１ａと、この第１円筒カム６１ａを収容するように歯車ケース２４の上部にこの歯車ケース２４と一体的に設けられ第１中間軸７１の軸方向に延びる第１ガイド溝６１ｄが形成された第１カム用ケース６１ｃと、第１カム溝６１ｂと第１ガイド溝６１ｄとの重なる空間内を転動する単一の第１転動体６１ｅとを有する（図５）。更に、第１トルク発生部８１は、第１中間軸７１に相対回転不能に嵌入されかつ第１円筒カム６１ａが相対回転可能に嵌入された第１内輪部８１ａと、この第１内輪部８１ａに嵌入された第１捩りコイルばね８１ｂとを有する（図５）。第１円筒カム６１ａ及び第１内輪部８１ａ間のトルクは、この実施の形態では、第１遮蔽体２１を巻取る方向に第１巻取パイプ１１が回転するように第１巻取ばね３１が一定の荷重で付勢した状態で、第１遮蔽材２１及び第１ウエイトバー９１の自重により第１遮蔽体２１が第１巻取パイプ１１から繰出されるのを阻止する値に設定される。
【００２５】
第２回転伝達切換装置４２は、操作チェーン１８の窓側の操作部を図１の破線矢印の方向に引下げ操作したときにこの操作力を第２巻取パイプ１２に伝達しかつ操作チェーン１８の室内側の操作部を図１の実線矢印で示す方向に引下げ操作したときにこの操作力を第２巻取パイプ１２に伝達しないクラッチ機能と、操作チェーン１８の窓側の操作部の図１の破線矢印で示す方向への引下げ操作を停止することにより第２巻取パイプ１２をその位置に一時的に固定するロック機能と、操作チェーン１８の窓側の操作部を図１の破線矢印で示す方向に引下げ操作することにより上記一時的な固定を解除するロック解除機能とを有する。即ち、第２回転伝達切換装置４２は、上記クラッチ機能を発揮する第２クラッチ部５２と、上記ロック機能及びロック解除機能を発揮する第２ストッパ部６２と、第２中間軸７２及び第２ストッパ部６２間に設けられ操作チェーン１８の窓側の操作部を図１の破線矢印で示す方向に引下げ操作したときに第２中間軸７２及び第２ストッパ部６２間に比較的小さいトルクを発生させる第２トルク発生部８２とを有する（図５）。なお、上記第２中間軸７２は第２従動歯車２３ｄに第２クラッチ部５２を介して連結される。
【００２６】
第２クラッチ部５２は、図示しないが、第２従動歯車２３ｄとともに回転可能に構成され第２中間軸７２を挿通可能な第２クラッチ用外輪と、第２中間軸７２の外周面に接する円柱状の複数の第２クラッチ用ローラと、複数の第２クラッチ用ローラを第２クラッチ用外輪の中にそれぞれ収容する複数の第２ローラ収容空間と、薄い金属ばね材を一体成型することにより形状された第２クラッチ用板ばねとを有する。複数の第２クラッチ用ローラは複数の第２ローラ収容空間内を第２クラッチ用外輪の円周方向に移動することにより、第２中間軸７２の第２クラッチ用外輪に対する相対回転を不能にするか、或いは第２中間軸７２の第２クラッチ用外輪に対する相対回転を可能にして第２クラッチ部５２を空転させるように構成される。また、第２ストッパ部６２は、操作チェーン１８の窓側の操作部を図１の破線矢印で示す方向に僅かに引下げ操作することにより第２遮蔽体２１を下降状態又は停止状態に切換えるように構成される（図１及び図５）。具体的には、第２ストッパ部６２は、後述の第２トルク発生部８２に嵌入され外周面に第２カム溝６２ｂが形成された第２円筒カム６２ａと、この第２円筒カム６２ａを収容するように歯車ケース２４の下部にこの歯車ケース２４と一体的に設けられ第２中間軸７２の軸方向に延びる第２ガイド溝６２ｄが形成された第２カム用ケース６２ｃと、第２カム溝６２ｂと第２ガイド溝６２ｄとの重なる空間内を転動する第２転動体６２ｅとを有する（図５）。更に、第２トルク発生部８２は、第２中間軸７２に相対回転不能に嵌入されかつ第２円筒カム６２ａが相対回転可能に嵌入された第２内輪部８２ａと、この第２内輪部８２ａに嵌入された第２捩りコイルばね８２ｂとを有する（図５）。第２円筒カム６２ａ及び第２内輪部８２ａ間のトルクは、この実施の形態では、第２遮蔽体２２を巻取る方向に第２巻取パイプ１２が回転するように第２巻取ばね３２が一定の荷重で付勢した状態で、第２遮蔽材２２及び第２ウエイトバー９２の自重により第２遮蔽体２２が第２巻取パイプ１２から繰出されるのを阻止する値に設定される。なお、第１カム用ケース６１ｃには、第１巻取パイプ１１の一端を嵌着可能な第１筒体１０１が回転可能に嵌入され、第２カム用ケース６２ｃには、第２巻取パイプ１２の一端を嵌着可能な第２筒体１０２が回転可能に嵌入される（図３及び図５）。
【００２７】
一方、第１回転伝達切換装置４１と第１巻取パイプ１１との間には、第１トルクリミッタ１１１が設けられ、第２回転伝達切換装置４２と第２巻取パイプ１２との間には、トルクの発生する回転方向を第１トルクリミッタ１１１と逆にした第２トルクリミッタ１１２が設けられる（図５）。上記第１トルクリミッタ１１１と第２トルクリミッタ１１２とは同一形状に形成される。そして、第１及び第２トルクリミッタ１１１，１１２は、外輪部１１３と、この外輪部１１３に相対回転可能に挿入された内輪部１１４と、外輪部１１３及び内輪部１１４間に介装されかつ所定値のトルクを発生させるトルク発生部１１６と、内輪部１１３の外輪部１１４に対する一方への相対回転を許容しかつ他方への相対回転を阻止するクラッチ部１１７とをそれぞれ有する。
【００２８】
第１トルクリミッタ１１１は第１筒体１０１と一体的に形成された第１リミッタケース１２１に収容され、この第１リミッタケース１２１の先端面は第１リミッタキャップ１３１により閉止される（図３及び図５）。これにより外輪部１１３が第１巻取パイプ１１に固定されかつ内輪部１１４が第１回転伝達切換装置４１に連結される。また、第２トルクリミッタ１１２は第２筒体１０２と一体的に形成された第２リミッタケース１２２に収容され、この第２リミッタケース１２２の先端面は第２リミッタキャップ１３２により閉止される。これにより外輪部１１３が第２巻取パイプ１２に固定されかつ内輪部１１４が第２回転伝達切換装置４２に連結される。
【００２９】
トルク発生部１１６は、出力軸１１８に相対回転可能に嵌入されかつ外輪部１１３が相対回転可能に嵌入された内輪部１１４と、この内輪部１１４に嵌入された捩りコイルばね１１９とを有する（図５）。第１トルクリミッタ１１１の出力軸１１８は、第１回転伝達切換装置４１の第１ストッパ部６１及び第１トルク発生部８１の第１中間軸７１に対してスライドすることにより第１中間軸７１に相対回転不能に連結されるか又は第１中間軸７１に対して相対回転可能に構成される。第２トルクリミッタ１１２の出力軸１１８は、第２回転伝達切換装置４２の第２ストッパ部６２及び第２トルク発生部８２の第２中間軸７２に対してスライドすることにより第２中間軸７２に相対回転不能に連結されるか又は第２中間軸７２に対して相対回転可能に構成される。
【００３０】
図５に示すように、クラッチ部１１７は、出力軸１１８に嵌入された上記内輪部１１４と、出力軸１１８の外周面に接する円柱状の複数のローラ１２３と、複数のローラ１２３を内輪部１１４の中にそれぞれ収容するローラ収容空間１２０と、薄い金属ばね材を一体成型することにより形状された板ばね（図示せず）とを有する。第１トルクリミッタ１１１のクラッチ部１１７は、出力軸１１８が第１遮蔽体２１を繰出す方向に回転するとき、出力軸１１８の回転が外輪部１１３に伝達され、出力軸１１８が第１遮蔽体２１を巻取る方向に回転するとき、出力軸１１８の回転が外輪部１１３に伝達されないように構成される。このため、上記とは逆に、第１遮蔽体２１下端の第１ウエイトバー９１を把持して第１遮蔽体２１を第１巻取パイプ１１から繰出す方向への回転は出力軸１１８に伝達されず、第１遮蔽体２１側から第１遮蔽体２１を第１巻取パイプ１１に巻取る方向への回転は出力軸１１８に伝達されるようになっている。一方、第２トルクリミッタ１１２のクラッチ部１１７は、出力軸１１８が第２遮蔽体２２を繰出す方向に回転するとき、出力軸１１８の回転が外輪部１１３に伝達され、出力軸１１８が第２遮蔽体２２を巻取る方向に回転するとき、出力軸１１８の回転が外輪部１１３に伝達されないように構成される。このため、上記とは逆に、第２遮蔽体２２下端の第２ウエイトバー９２を把持して第２遮蔽体２２を第２巻取パイプ１２から繰出す方向への回転は出力軸１１８に伝達されず、第２遮蔽体２２側から第２遮蔽体２２を第２巻取パイプ１２に巻取る方向への回転は出力軸１１８に伝達されるようになっている。なお、図１、図２及び図４中の符号１４１は、第１遮蔽体２１が第１巻取ばね３１の付勢力により第１巻取パイプ１１に巻取られたときに第１ウエイトバー９１が当接する第１クッションバーであり、符号１４２は、第２遮蔽体２２が第２巻取ばね３２の付勢力により第２巻取パイプ１２に巻取られたときに第２ウエイトバー９２が当接する第２クッションバーである。
【００３１】
このように構成されたロールスクリーン１０の動作を説明する。図１及び図３に示すように、操作チェーン１８が第１及び第２巻取パイプ１１，１２の右側に位置するようにロールスクリーン１０を設置した状態、即ち、プーリ及び歯車ユニット２７が第１及び第２巻取パイプ１１，１２の右側に位置するようにロールスクリーン１０を設置した状態で、支持バー１４の一対の係止部１４ｃ，１４ｄをブラケット１３のバー保持部１３ｂの一対の被係止部１３ｃ，１３ｄに係止させて、支持バー１４を２つのブラケット１３，１３に取付ける。一方、支持バー１４を２つのブラケット１３，１３から外し、ロールブラインド１０を左右反転させて、図２に示すように、操作チェーン１８が第１及び第２巻取パイプ１１，１２の左側に位置するようにロールスクリーン１０を設置した状態、即ち、プーリ及び歯車ユニット２７が第１及び第２巻取パイプ１１，１２の左側に位置するようにロールスクリーン１０を設置した状態で、支持バー１４の一対の係止部１４ｃ，１４ｄをブラケット１３のバー保持部１３ｂの一対の被係止部１３ｃ，１３ｄに係止させて、支持バー１４をブラケット１３，１３に取付ける。このときプーリ及び歯車ユニット２７を第１及び第２巻取パイプ１１，１２の右側又は左側のいずれかに一方に位置した状態で支持バー１４をブラケット１３，１３に取付け可能に構成しているので、即ち支持バー１４の一対の係止部１４ｃ，１４ｄから等距離にある点（中点）を通りかつ壁１５に平行な鉛直面を面Ｘとし、第１巻取パイプ１１の軸線を含む鉛直面と第２巻取パイプ１２の軸線を含む鉛直面との間に両鉛直面から等距離に位置する鉛直面を面Ｙとするとき、面Ｘと面Ｙが一致するように構成しているので（図４）、支持バー１４がブラケット１３の壁取付部１３ｂや壁１５に接触することなく、しかも第１遮蔽体１１が第２遮蔽体１２の位置に垂下され、第２遮蔽体１２が第１遮蔽体１１の位置に垂下されるので、室内が狭くなることもない。このように、ロールスクリーン１０の設置場所における操作性により、プーリ及び歯車ユニット２７が第１及び第２巻取パイプ１１，１２の右側に位置した状態であっても、或いはプーリ及び歯車ユニット２７が第１及び第２巻取パイプ１１，１２の左側に位置した状態であっても、同一のプーリ及び歯車ユニット２７を用いることができる。従って、１種類のプーリ及び歯車ユニット２７を用意するだけで済むので、部品点数を低減できる。
【００３２】
また、図１及び図３に示すように、プーリ及び歯車ユニット２７が第１及び第２巻取パイプ１１，１２の右側に位置するようにロールスクリーン１０を設置した状態で、操作チェーン１８の室内側の操作部を図１の実線矢印で示す方向に引下げ操作すると、この操作力がプーリ１９、中間歯車２３ｂ、第１従動歯車２３ｃ、第１回転伝達切換装置４１、第１トルクリミッタ１１１及び第１筒体１０１を介して第１巻取パイプ１１に伝達され、操作チェーン１８の窓側の操作部を図１の破線矢印で示す方向に引下げ操作すると、この操作力がプーリ１９、中間歯車２３ｂ、第２従動歯車２３ｄ及び第２回転伝達切換装置４２を介して第２巻取パイプ１２に伝達される。即ち、操作チェーン１８のどちらの操作部を引下げ操作しても、操作力が同一形状の歯車を介して伝達されるので、第１巻取パイプ１１を回転させるための操作力と、第２巻取パイプ１２を回転させるための操作力とが同一になり、操作チェーン１８の操作性に違和感が生じることはない。
【００３３】
一方、図１及び図３に示すように、プーリ及び歯車ユニット２７が第１及び第２巻取パイプ１１，１２の右側に位置するようにロールスクリーン１０を設置した状態で、操作チェーン１８の室内側の操作部を図１の実線矢印で示す方向に引下げ操作する場合、操作チェーン１８を図１の二点鎖線で示すように室内側の斜め下方に引下げ操作する。このときプーリ１９から垂下された操作チェーン１８の室内側の操作部及び窓側の操作部が補強用ボス２４ａより室内側に位置するので、操作チェーン１８が補強用ボス２４ａに嵌入された軟質筒状体２９に接触することはなく、異音が発生しない。これに対し、図２に示すように、プーリ及び歯車ユニット２７が第１及び第２巻取パイプ１１，１２の左側に位置するようにロールスクリーン１０を設置する場合、操作チェーン１８を補強用ボス２４ａに遊嵌するように配索しておく。この状態で、操作チェーン１８の室内側の操作部を図２の実線矢印で示す方向に引下げ操作する場合、操作チェーン１８を図２の二点鎖線で示すように室内側の斜め下方に引下げ操作する。これにより操作チェーン１８が軟質筒状体２９に殆ど接触することなく操作チェーン１８を操作できる。即ち、操作チェーン１８が軟質筒状体２９に接触するのを抑制できる。また、操作チェーン１８が軟質筒状体２９に接触しても、この接触により発生する異音が軟質筒状体２９により吸収されるので、上記異音の発生を防止できる。なお、操作チェーン１８の窓側の操作部を図２の破線矢印で示す方向に引下げ操作する場合、操作チェーン１８を図２の二点鎖線で示すように室内側の斜め下方に引下げ操作する。この場合も上記と同様の効果が得られる。また、プーリカバー２６の歯車ケース２４への取付構造は、ビス止めではなく、プーリカバー２６を歯車ケース２４に弾性変形可能な爪により脱着可能に取付けるか、プーリカバー２６の上端又は下端を歯車ケース２４にヒンジを介して取付けるか、プーリカバー２６を歯車ケース２４に対してスライド可能に取付けるか、プーリカバー２６を歯車ケース２４に対して回転開閉式に取付けることにより、操作チェーン１８が補強用ボス２４ａに遊嵌されない状態から遊嵌される状態に、或いは操作チェーン１８が補強用ボス２４ａに遊嵌される状態から遊嵌されない状態に比較的容易に切換えることができる。
【００３４】
＜第２の実施の形態＞
図６及び図７は本発明の第２の実施の形態を示す。図６及び図７において図１及び図２と同一符号は同一部品を示す。この実施の形態では、第１の実施の形態の補強用ボス及び軟質筒状体が設けられない。なお、プーリカバー２６の下部の強度は、肉厚を厚くするか、リブを形成するか、或いは材質を変更することにより確保できる。上記以外は第１の実施の形態と同一に構成される。
【００３５】
このように構成されたロールスクリーン１０では、プーリ及び歯車ユニット２７が第１及び第２巻取パイプ１１，１２の右側に位置するようにロールスクリーン１０を設置した状態でも（図６）、或いはプーリ及び歯車ユニット２７が第１及び第２巻取パイプ１１，１２の左に位置するようにロールスクリーン１０を設置した状態でも（図７）、操作チェーン１８の操作時に操作チェーン１８が補強用ボス及び軟質筒状体に接触することがないので、その接触により異音が発生することはない。また、ロールスクリーン１０を左右反転させたときに、操作チェーン１８を補強ボスに遊嵌するという作業も不要になるので、操作チェーン１８の取り回しの自由度が高くなる。上記以外の動作は、第１の実施の形態の動作と略同様であるので、繰返しの説明を省略する。
【００３６】
なお、上記第１及び第２の実施の形態では、第１及び第２巻取パイプを、一対の支持部材、支持バー及びブラケットを介して壁に回転可能に取付けたが、第１及び第２巻取パイプを、一対の支持部材、支持バー及びブラケットを介して窓枠又は天井に回転可能に取付けてもよい。
【符号の説明】
【００３７】
１０  ロールスクリーン
１１  第１巻取パイプ
１２  第２巻取パイプ
１３  ブラケット
１４  支持バー
１５  壁
１６，１７  支持部材
１８  操作チェーン
１９  プーリ
２１  第１遮蔽体
２２  第２遮蔽体
２３  歯車列
２４  歯車ケース
２４ａ  補強用ボス
２６  プーリカバー
２６ａ  通孔
２７  プーリ及び歯車ユニット
２８  ビス
２９  軟質筒状体
３１  第１巻取ばね
３２  第２巻取ばね
４１  第１回転伝達切換装置
４２  第２回転伝達切換装置
【図１】
2018066234.tif 000003
【図２】
2018066234.tif 000004
【図３】
2018066234.tif 000005
【図４】
2018066234.tif 000006
【図５】
2018066234.tif 000007
【図６】
2018066234.tif 000008
【図７】
2018066234.tif 000009